(57)【要約】【課題】発光装置同士のくっつきを防止することができる発光装置の製造方法および発光装置を提供する。【解決手段】発光装置１００の製造方法であって、発光素子１０を収容する凹部５０を有するパッケージ１を用意するパッケージ用意工程と、発光素子１０が収容された凹部５０内に封止樹脂２０を充填し、封止樹脂２０をパッケージ１の高さよりも高く設ける封止樹脂形成工程と、封止樹脂２０を切削して封止樹脂２０をパッケージ１の高さに近づけるように調整する封止樹脂切削工程と、を含み、パッケージ１は、凹部５０の周面に凸部３が形成されていることを特徴とする。【選択図】図２
2014187319.tif 000002
【特許請求の範囲】
【請求項１】
発光素子を収容する凹部を有するパッケージを用意するパッケージ用意工程と、
前記発光素子が収容された前記凹部内に封止樹脂を充填し、前記封止樹脂を前記パッケージの高さよりも高く設ける封止樹脂形成工程と、
前記封止樹脂を切削して当該封止樹脂を前記パッケージの高さに近づけるように調整する封止樹脂切削工程と、を含み、
前記パッケージは、前記凹部の周面に凸部が形成されていることを特徴とする発光装置の製造方法。
【請求項２】
前記パッケージ用意工程は、複数の前記パッケージが連続した集合体を用意する工程であり、
前記封止樹脂切削工程の後に、前記封止樹脂を切削した前記集合体を個片化する個片化工程を含むことを特徴とする請求項１に記載の発光装置の製造方法。
【請求項３】
前記封止樹脂切削工程において、前記凸部の一部を切削することで、前記凸部の上面に粗面部を形成することを特徴とする請求項１または請求項２に記載の発光装置の製造方法。
【請求項４】
前記封止樹脂切削工程において、前記凸部が形成された部位に粗面部を形成するように前記凸部を切削することを特徴とする請求項１または請求項２に記載の発光装置の製造方法。
【請求項５】
前記封止樹脂切削工程において、前記集合体上の前記封止樹脂の全部を一括して切削することを特徴とする請求項２から請求項４のいずれか一項に記載の発光装置の製造方法。
【請求項６】
発光素子と、
前記発光素子を収容する凹部を有するパッケージと、
前記凹部内に充填された封止樹脂と、を備える発光装置であって、
前記凹部の周面に凸部を有し、前記凸部の上面に粗面部を有することを特徴とする発光装置。
【請求項７】
前記封止樹脂が、前記パッケージと同じ高さにまで設けられていることを特徴とする請求項６に記載の発光装置。
【請求項８】
前記パッケージは、凹部の周面を平面視したときに縦横の比率を異ならせて形成し、前記凸部は、前記パッケージの短い周面側に設けられていることを特徴とする請求項６または請求項７に記載の発光装置。
【請求項９】
前記凸部の高さが、３〜７μｍであることを特徴とする請求項６から請求項８のいずれか一項に記載の発光装置。
【発明の詳細な説明】
【技術分野】
【０００１】
本発明は、凹部内に発光素子を実装するパッケージを備える発光装置の製造方法および発光装置に関する。
【背景技術】
【０００２】
一般に、発光素子を用いた発光装置は、小型で電力効率がよく、鮮やかな色を発光することで知られている。この発光装置に係る発光素子は半導体素子であるため、球切れ等の心配が少ないだけでなく、初期駆動特性に優れ、振動やオン・オフ点灯の繰り返しに強いという特徴を有する。このような優れた特性を有するため、発光ダイオード（ＬＥＤ：Light Emitting Diode）、レーザーダイオード（ＬＤ：Laser Diode）等の発光素子を用いる発光装置は、各種の光源として利用されている。
【０００３】
このような発光装置としては、凹部を有するパッケージの凹部の底面に発光素子を実装し、凹部内に封止樹脂を充填した発光装置が開示されている（例えば特許文献１〜３参照）。
【先行技術文献】
【特許文献】
【０００４】
【特許文献１】特開２０１０−１０９１７０号公報
【特許文献２】特開２００４−１８６４８８号公報
【特許文献３】特開２０１０−０６２２７２号公報
【発明の概要】
【発明が解決しようとする課題】
【０００５】
このような発光装置は、製造された後、複数個が袋等の容器にまとめられる。  ここで、従来の発光装置は、その上面、すなわち、凹部を形成する外枠の上面（図２（ａ）参照）がなめらかな面である。これにより、発光装置は、その上面が平滑な面であるため互いに密着しやすく、まとめられた後の取り扱い時に発光装置同士がくっつきやすいという問題があった。そして、発光装置同士がくっつきやすいと、発光装置が一つ一つの状態になりにくいため、取り扱いが困難となるおそれがある。例えば、発光検査等の際、複数の発光装置がくっついているために、測定器の搬送路や測定位置において詰まりや測定ができない状態となるおそれがある。
【０００６】
本発明はかかる問題に鑑み、発光装置同士のくっつきを防止することができる発光装置の製造方法および発光装置を提供することを課題とする。
【課題を解決するための手段】
【０００７】
前記課題を解決するために、本発明に係る発光装置の製造方法は、発光素子を収容する凹部を有するパッケージを用意するパッケージ用意工程と、前記発光素子が収容された前記凹部内に封止樹脂を充填し、前記封止樹脂を前記パッケージの高さよりも高く設ける封止樹脂形成工程と、前記封止樹脂を切削して当該封止樹脂を前記パッケージの高さに近づけるように調整する封止樹脂切削工程と、を含み、前記パッケージは、前記凹部の周面に凸部が形成されていることを特徴とする。
【０００８】
本発明に係る発光装置は、発光素子と、前記発光素子を収容する凹部を有するパッケージと、前記凹部内に充填された封止樹脂と、を備える発光装置であって、前記凹部の周面に凸部を有し、前記凸部の上面に粗面部を有することを特徴とする。
【発明の効果】
【０００９】
本発明に係る発光装置の製造方法によれば、発光装置同士のくっつきを防止することができる発光装置を製造することができる。
本発明に係る発光装置によれば、発光装置同士のくっつきが防止される。
【図面の簡単な説明】
【００１０】
【図１】本発明に係る発光装置を得る前の集合体の一例を示す概略模式図である。
【図２】本発明の第１実施形態に係る発光装置の一例を示す概略模式図であり、（ａ）は斜視図、（ｂ）は（ａ）に示す発光装置のＹ−Ｙ断面図、（ｃ）は（ａ）に示す発光装置のＸ−Ｘ断面図である。
【図３】本発明の第２実施形態に係る発光装置の一例を示す概略模式図であり、（ａ）は斜視図、（ｂ）は（ａ）に示す発光装置のＹ−Ｙ断面図、（ｃ）は（ａ）に示す発光装置のＸ−Ｘ断面図である。
【図４】本発明に係る発光装置の製造方法で製造された発光装置における、凹部の周面に形成された凸部また粗面部について説明するための概略模式図である。
【図５】本発明に係る発光装置のパッケージにおける凹部および凸部の形成について説明するための模式図である。
【図６】本発明に係る発光装置の製造方法における封止樹脂形成工程および封止樹脂切削工程について説明するための概略模式図である。
【図７】本発明に係る発光装置の製造方法における、凸部の上面に粗面部を形成する場合について説明するための概略模式図である。
【発明を実施するための形態】
【００１１】
以下、本発明に係る発光装置の製造方法および発光装置の形態について、図面を参照しながら説明する。なお、各図面が示す部材の大きさや位置関係等は、説明を明確にするため誇張していることがある。さらに以下の説明において、同一の名称、符号については、原則として同一もしくは同質の部材を示しており、詳細説明を適宜省略する。
【００１２】
≪発光装置≫
まず、本発明の発光装置について説明する。
【００１３】
＜第１実施形態＞
図２（ａ）〜（ｃ）に示すように、発光装置１００は、ここでは、凹部５０を有するパッケージ１と、凹部５０の底面に露出するようにパッケージ１の底部に設けられた導電部材２ａ，２ｂと、導電部材２ａ上に設けられた発光素子１０と、パッケージ１の凹部５０内に充填された封止樹脂２０と、を主に備える。そして、発光装置１００は、凹部５０の周面に凸部３を有し、凸部３の上面に粗面部４ａを有している。
発光装置１００は、１つの発光装置１００を個別に作製してもよいし、図１に示すような、複数のパッケージ１が連続した集合体８０を個片化して作製してもよい。なお、本発明の構成を分かりやすく示すために、図２では、封止樹脂２０を透過した状態で図示している。
以下、各構成について説明する。
【００１４】
［パッケージ］
パッケージ１は、発光素子１０等の電子部品を収容して保護するものである。
図２（ｃ）に示すように、パッケージ１は、底面を構成する基材３０ａおよび導電部材２ａ，２ｂと、側面を構成する側部材３０ｂとからなり、この基材３０ａおよび導電部材２ａ，２ｂと側部材３０ｂとにより、上面を開口部とする凹部５０を形成している。そしてここでは、導電部材２ａ，２ｂ上に側部材３０ｂが設けられた構成となっている。
【００１５】
パッケージ１の材料としては、絶縁性部材が好ましく、発光素子１０から放出される光や外光等が透過しにくい部材が好ましい。また、ある程度の強度を有するものが好ましい。より具体的には、セラミックス（Ａｌ２Ｏ３、ＡｌＮ等）、フェノール樹脂、エポキシ樹脂、ポリイミド樹脂、ＢＴレジン（bismaleimide triazine resin）、ポリフタルアミド（ＰＰＡ）等の樹脂が挙げられる。特に、耐光性の高いエポキシ樹脂やシリコーン樹脂を用いることが好ましい。
なお、パッケージ１の材料に樹脂を用いる場合は、ガラス繊維や、ＳｉＯ２、ＴｉＯ２、Ａｌ２Ｏ３等の無機フィラーを樹脂に混合し、機械的強度の向上、熱膨張率の低減、光反射率の向上等を図ることもできる。
【００１６】
［導電部材］
導電部材２ａ，２ｂは、外部と、発光素子１０等の電子部品とを電気的に接続し、これら電子部品に、外部からの電流（電力）を供給するための部材である。すなわち、外部から通電させるための外部電極またはその一部としての役割を担うものである。
【００１７】
また、ここでは、導電部材２ａ，２ｂが、それぞれ、正の電極と、負の電極であり、これらの電極がパッケージ１の底面に離間して設けられている。すなわち、導電部材２ａ，２ｂは、正の電極（アノード）としての導電部材２ａと、負の電極（カソード）としての導電部材２ｂとに、パッケージ１の底面に水平に（横方向に）分別されて設けられている。そして、この導電部材２ａ上に、発光素子１０が実装されている。
【００１８】
導電部材２ａ，２ｂの材料は、パッケージ１として用いられる材料や、発光装置１００の製造方法等によって適宜選択することができる。例えば、パッケージ１の材料としてセラミックを用いる場合は、導電部材２ａ，２ｂの材料は、セラミックスシートの焼成温度にも耐え得る高融点を有する材料が好ましく、例えば、タングステン、モリブデンのような高融点の金属を用いるのが好ましい。
【００１９】
また、パッケージ１の材料としてガラスエポキシ樹脂等を用いる場合は、導電部材２ａ，２ｂの材料は、加工し易い材料が好ましく、また、パッケージ１の材料として射出成型されたエポキシ樹脂を用いる場合は、導電部材２ａ，２ｂの材料は、打ち抜き加工、エッチング加工、屈曲加工等の加工がし易く、かつ、比較的大きい機械的強度を有する部材が好ましい。具体例としては、銅、アルミニウム、金、銀、タングステン、鉄、ニッケル等の金属、または、鉄−ニッケル合金、りん青銅、鉄入り銅、モリブデン等が挙げられる。
【００２０】
導電部材２ａ，２ｂは、放熱経路としての機能も有している。放熱性を高めるためには、広い面積で設けられることが好ましく、例えば、パッケージ１の短手方向に対して（例えば、図２（ａ）で凸部３が形成されている方向）広い幅で設けられることが好ましい。
【００２１】
基材３０ａおよび／または導電部材２ａ，２ｂの表面には、導電部材２ａ，２ｂを保護するレジストが設けられていても良い。レジストは、光反射率を高める反射膜であることが好ましい。このような材料としては、酸化チタンを含有するシリコーン樹脂等の白色の絶縁性の材料を用いることができる。
【００２２】
図２（ａ）〜（ｃ）に示すように、発光装置１００は、パッケージの凹部５０の周面に凸部３を有する。すなわち、凹部５０を形成する外枠である側部材３０ｂの上面に凸部３を有する。
ここでは、パッケージ１は、凹部５０の周面を平面視したときに縦横の比率を異ならせて形成し、凸部３は、パッケージ１の短い周面側に設けられている。すなわち、パッケージ１は長手方向（長い周面側）と短手方向（短い周面側）を有し、凸部３がパッケージ１の短手方向に設けられている。凸部３は、パッケージ１は長手方向と短手方向の両方、あるいは、長手方向のみに設けられていてもよいが、図２（ａ）に示すように、パッケージ１の短手方向に設けられていることが好ましい。凸部３がパッケージ１の短手方向に設けられていることで、後記する凸部３による効果がより発揮されやすくなる。
【００２３】
凸部３の形状は、特に限定されるものではない。ここでは、パッケージ１の長手方向において、発光装置１００の内側（凹部５０側）から外側に向けて凸部３がゆるやかに高くなり、発光装置１００の内側（凹部５０側）から外側に向けて凸部３が傾斜する形状となっている。これは、後記するように、伸縮性を有する離型シートの伸びを利用した方法により集合体８０の凹部５０の周面に凸部が形成され（図５（ｂ）参照）、図５（ｂ）の破線部の位置で切断して個片化するためである。よって、粗面部４ａを形成する前の凸部３の形状は、図５（ｂ）の破線部の位置で切断した片方の形状となる。
【００２４】
そして、凸部３の上面には粗面部４ａを有する。
凸部３の上面とは、凸部３の表面のうちの凸部３の上方に位置する面であり、例えば、後記する発光装置の製造方法での粗面部４ａの形成の際に、刃物で削られる部位の面である。ただし、この面は厳密に規定されるものではない。なお、本第１実施形態においては、凸部３の側面（パッケージ１の側面と平行な部分）には粗面部４ａは形成していない。
また、凸部３の粗面部４ａとは、封止樹脂２０の切削の際に凸部３の一部が削られることで生じた所定の表面粗さＲａを有する粗面な部位である。
発光装置１００が粗面部４ａを有することで、発光装置１００同士のくっつきがより防止される。凸部３の上面における粗面部４ａの範囲は特に規定されるものではなく、本発明の効果を奏する範囲であればよい。
【００２５】
凸部３の高さ（最大高さ）は、３〜７μｍであることが好ましい。凸部３の高さを３μｍ以上とすることで、発光装置１００同士のくっつきの防止効果がより向上する。また、粗面部４ａの形成を容易にする観点から、凸部３の高さは７μｍ以下とすることが好ましい。ここでの凸部３の高さとは、粗面部４ａを形成した状態の最大高さをいうものとする。
粗面部４ａの表面性状（例えば表面粗さＲａ）や凸部３の切削量は、後記する封止樹脂切削工程で凸部３の一部を削る際の速度、刃物の圧力や角度等を適宜調整することにより制御する。
凸部３および粗面部４ａの形成方法については、後記する発光装置の製造方法で説明する。
【００２６】
ここで、発光装置１００は、凸部３の形状に関して、ここでは粗面部４ａを有する形状を取り上げて説明したが、粗面部４ａを有さない形状のものであってもよい（図５（ｂ）参照）。また、凸部３の全てを切削し、凸部３が形成された部位に粗面部４ｂを有する形態であってもよい（第２実施形態についての図４（ｃ）、（ｆ）参照）。
【００２７】
［発光素子］
発光素子１０は、その上面（発光面）に電極を有するフェースアップ素子（ＦＵ素子）であり、導電部材２ａと接続されてパッケージ１に実装されている。また、発光素子１０上面に接続された一方のワイヤＷが導電部材２ａに接続され、他方のワイヤＷが導電部材２ｂに接続されて、発光素子１０と導電部材２ａ，２ｂとが電気的に接続されている。なお、発光面とは、パッケージ１に実装したときに、基材３０ａおよび導電部材２ａ，２ｂと対向する側の面と反対側で、発光装置の光取り出し方向側の面である。
【００２８】
発光素子１０としては、ｎ層とｐ層と発光を行う発光領域を備える半導体層を有する発光ダイオードを用いるのが好ましく、任意の波長のものを選択することができる。例えば、青色（波長４３０ｎｍ〜４９０ｎｍの光）、緑色（波長４９０ｎｍ〜５７０ｎｍの光）の発光素子１０としては、ＺｎＳｅ、窒化物系半導体（ＩｎＸＡｌＹＧａ１−Ｘ−ＹＮ、０≦Ｘ、０≦Ｙ、Ｘ＋Ｙ≦１）、ＧａＰ等を用いることができる。また、赤色（波長６２０ｎｍ〜７５０ｎｍの光）の発光素子１０としては、ＧａＡｌＡｓ、ＡｌＩｎＧａＰ等を用いることができる。なお、蛍光物質を用いた発光装置１００とする場合には、その蛍光物質を効率良く励起できる短波長の発光が可能な窒化物半導体（ＩｎＸＡｌＹＧａ１−Ｘ−ＹＮ、０≦Ｘ、０≦Ｙ、Ｘ＋Ｙ≦１）が好適に用いられる。そして、活性層の材料やその混晶を調整することによって、発光波長を種々選択することができる。さらに、これら以外の材料からなる発光素子１０を用いることもできる。なお、用いる発光素子１０の成分組成や発光色、大きさ、個数等は、目的に応じて適宜選択することができる。
発光素子１０は、サファイア等の透光性の基板を有することが好ましい。
また、可視光領域の光だけでなく、紫外線や赤外線を出力する発光素子１０とすることもできる。
【００２９】
［封止樹脂］
封止樹脂２０は、パッケージ１に実装された発光素子１０を、塵芥、水分、外力等から保護するためや、発光素子１０の光取り出し効率向上や波長変換等の光学特性向上のため等の目的で設けられる部材である。
図２（ａ）、（ｃ）に示すように、封止樹脂２０はパッケージ１の凹部５０内に充填され、発光素子１０は、封止樹脂２０により被覆されている。ここでは、発光素子１０全体が封止樹脂２０に埋没するように設けられている。
【００３０】
封止樹脂２０は、パッケージ１と同じ高さにまで設けられていることが好ましい。すなわち、封止樹脂２０の上面と、パッケージ１の上面が面一となっていることが好ましい。
ここで、「封止樹脂２０の上面」とは、封止樹脂２０における、発光素子１０からの光が取り出される側の上方の面、すなわち、凹部５０から上方に露出した最上面をいう。また、「パッケージ１の上面」とは、凹部５０を形成する外枠の上面、すなわち、側部材３０ｂの上面をいう。
このような構成とすることで、封止樹脂２０の上面を樹脂のヒケ等のない平坦な状態にすることができるため、発光素子１０からの光取り出し効率が向上する。また、封止樹脂２０がパッケージ１の上面から露出しないため、タック性のある封止樹脂２０の影響が少なく、くっつき防止効果を高くすることができる。
【００３１】
封止樹脂２０の材質は、発光素子１０からの光を透過可能な透光性を有するものが好ましい。具体的な材料としては、シリコーン樹脂、エポキシ樹脂や、それらの変性タイプ、さらにはユリア樹脂等を挙げることができる。特にシリコーン樹脂はタック性が高いため、本発明のくっつき防止の効果を有効に得られる。これらの有機材料の他、酸化物等の無機材料でも良い。このような材料に加え、所望に応じて、光取り出し効率や波長を変換するための蛍光体、着色剤、光拡散剤、フィラー等を含有させることもできる。なお、封止樹脂２０は単一の層（部材）で形成することもできるし、あるいは、２層以上の複数の層として形成することもできる。また、封止樹脂２０の塗布量（充填量）は、パッケージ１に実装される発光素子１０が被覆される量であればよい。
【００３２】
また、封止樹脂２０の表面（上面）には、幅および深さが１μｍ程度の複数の溝が、封止樹脂切削工程で封止樹脂２０を切削する際の刃物の進行方向に延びるように形成されている。封止樹脂２０が溝を有することで、表面積が増大し、放熱性が向上する。
溝は、封止樹脂切削工程で封止樹脂２０を切削することで、封止樹脂２０の表面に形成される。
【００３３】
以上説明した本発明の発光装置１００によれば、発光装置１００を駆動したときに、発光素子１０からあらゆる方向に進む光のうち、上方へ進む光は、発光装置１００の上方の外部に取り出される。また、下方や横方向等に進む光は、基材３０ａおよび側部材３０ｂの表面、導電部材２ａ，２ｂ、あるいはレジストで反射・散乱して、発光装置１００の上方の外部に取り出されることになる。また、発光装置１００同士のくっつきが防止される。
【００３４】
＜第２実施形態＞
図３（ａ）〜（ｃ）に示すように、発光装置１００Ａは、ここでは、凹部５０を有するパッケージ１と、凹部５０の底面に露出するようにパッケージ１の底部に設けられた導電部材２ａ，２ｂと、導電部材２ａ上に設けられた発光素子１０と、パッケージ１の凹部５０内に充填された封止樹脂２０と、を主に備える。そして、発光装置１００Ａは、凹部５０の周面に凸部３を有し、凸部３の上面に粗面部４ａを有している。
【００３５】
第２実施形態における発光装置１００Ａは、粗面部４ａを形成する前の凸部３の形状を、断面視でゆるい山なり（図３（ｂ）、（ｃ）参照）としたものである。そして、この凸部３に粗面部４ａを形成したものである。
ここで、図４（ａ）〜（ｆ）に示すように、発光装置１００Ａの凸部３の形状は、粗面部４ａを有する形状（図４（ｂ）、（ｅ）参照）の他、粗面部４ａを有さない形状のものであってもよい（図３（ａ）、（ｄ）参照）。また、凸部３の全てを切削し、凸部３が形成された部位に粗面部４ｂを有する形態であってもよい（図４（ｃ）、（ｆ）参照）。
その他の構成については、第１実施形態と同様であるため、ここでは説明を省略する。
【００３６】
≪発光装置の製造方法≫
次に、本発明に係る発光装置の製造方法について、図１〜７を参照しながら説明する。
【００３７】
本発明に係る発光装置１００（１００Ａ）の製造方法は、パッケージ用意工程と、封止樹脂形成工程と、封止樹脂切削工程と、を含む。また、ここでは、パッケージ用意工程の後、かつ封止樹脂形成工程の前に、ダイボンディング工程と、ワイヤボンディング工程と、を含む。また、ここでは、封止樹脂切削工程の後に、個片化工程を含む。
以下、各工程について説明する。なお、発光装置の各部材の詳細については、前記した発光装置で説明したとおりであるので、ここでは、適宜説明を省略する。
【００３８】
＜パッケージ用意工程＞
パッケージ用意工程は、発光素子１０を収容する凹部を有するパッケージ１を用意する工程である。
ここで、パッケージ用意工程では、１つのパッケージ１を個別に用意してもよいし、図１に示すような、複数のパッケージ１が連続した集合体８０を用意してもよい。図１に示すように、集合体８０は、縦横各々、所定の間隔および所定の行列数からなるマトリックス状に設けられている。
ここでは、パッケージ１あるいは集合体８０は発光装置１００（１００Ａ）の基材３０ａおよび導電部材２ａ，２ｂと、発光装置１００（１００Ａ）の側部材３０ｂとからなる。すなわち、ここでのパッケージ用意工程は、導電部材２ａ，２ｂも同時に形成する工程である。
【００３９】
パッケージ１あるいは集合体８０の作成は従来公知の方法で行えばよい。例えば、以下のようにして複数のパッケージ１が連続した集合体８０を作成することができる。
まず、導電部材２ａの一方の端と導電部材２ｂの一方の端とが一体となって連続した状態の導電部材２ａ，２ｂ（図５（ａ）参照）が複数形成された板状のリードフレーム５を形成する。
導電部材２ａ，２ｂの形成は、従来公知の方法で行えばよく、例えば、プレスによる形成や、板状の金属をエッチングして形成することもでき、その他、めっき、蒸着、基材への貼り付け等によって形成することができる。基材への貼り付けの場合は、基材と導電部材２ａ，２ｂとは、樹脂等の接着剤で接着させることができる。導電部材２ａ，２ｂは、導電部材２ａ，２ｂの材料を基材の一面に形成した後に、エッチング等で形を成形してもよい。この場合、導電部材２ａ，２ｂ上にレジストを設けることができる。レジストの形成は、印刷法を好適に用いることができる。
その後、図５（ａ）、（ｂ）に示すように、成形金型４０と離型シート６０を用いたトランスファーモールドにより、光反射性のエポキシ樹脂のパッケージ１および凹部５０を形成する（図２参照）。
【００４０】
具体的には、図５（ａ）に示すように、まず、板状のリードフレーム５を下金型４０ｂに載置する。次に、上金型４０ａを下方に下げ、リードフレーム５と上金型４０ａとの間隙Ｓ１をなくし、これらを密着させる。次に、成形金型４０の間隙Ｓ２およびリードフレーム５とリードフレーム５の間の間隙Ｓ３に光反射性のエポキシ樹脂を注入する。この際、上金型４０ａと間隙Ｓ２に注入した樹脂が密着しないように、上金型４０ａに離型シート６０を設け、上金型４０ａと樹脂６との間に離型シート６０を挟む（図５（ｂ）参照）。そして、成形金型４０によりトランスファーモールドすることで、複数のパッケージ１が連続した集合体８０および凹部５０を形成する。そして、後記する個片化工程において、集合体８０を、図５（ａ）、（ｂ）の破線部の位置で切断して個片化することで、１つのパッケージ１となる。この際、導電部材２ａ，２ｂの連続部分が切断されるが、板状のリードフレーム５のその他の接続部分も切断する。
【００４１】
パッケージ１あるいは集合体８０の作成は、前記の方法に限るものではない。例えば、基材上に導電部材２ａ，２ｂを貼り付け、側部材とするための上部基板を基材上の導電部材２ａ，２ｂに接合した後、上部基板をプレスすることで凹部を形成することができる。上部基板と導電部材２ａ，２ｂとの接合は、例えば樹脂や半田ペースト等の接合部材により行うことができる。
【００４２】
ここで、パッケージ用意工程において、パッケージ１は、凹部５０の周面に凸部３が形成されている。
凸部３の形成は、伸縮性を有する離型シートの伸びを利用した方法を用いることができる。具体的には、図５（ｂ）に示すように、上金型４０ａと樹脂６との間に離型シート６０を挟んだ状態でトランスファーモールドすると、凹部５０の周面（図２参照）に位置する離型シート６０が伸び、上面の両端から中央に向かうに従い、離型シート６０が薄くなる。そして、この離型シート６０が薄くなった分だけ、樹脂６が厚くなる。このようにして、凹部５０の周面に所定形状の凸部が形成される。なお、離型シート６０の設置条件や伸び具合を調整することで、凸部の位置や高さ、形状等を調整することができる。これにより、第１実施形態の発光装置１００における凸部３を形成することができる。
【００４３】
また、図５（ｃ）に示すように、凸部３の形成は、所望の凸部３とするための形状を有する上金型４０ａを用いてもよい。これにより、第２実施形態の発光装置１００Ａにおける凸部３を形成することができる。なお、上金型４０ａの形状を変えることで、第１実施形態の発光装置１００における凸部３を形成することもできる。
【００４４】
＜ダイボンディング工程＞
ダイボンディング工程は、パッケージ（例えば、導電部材２ａ上）に発光素子１０を実装する工程である。このダイボンディング工程では、導電部材２ａの上面に発光素子１０を実装する。
発光素子１０の実装方法は、特に限定されるものではなく、通常用いられる方法で行えばよい。例えばＡｕＳｎ等の半田ペーストやエポキシ樹脂等により、発光素子１０と導電部材２ａとを接合すればよい。
【００４５】
＜ワイヤボンディング工程＞
ワイヤボンディング工程は、発光素子１０と導電部材２ａ，２ｂとをワイヤＷで接続する工程である。ワイヤボンディング工程では、一方のワイヤＷを導電部材２ａに接続し、他方のワイヤＷを導電部材２ｂに接続することで、発光素子１０と導電部材２ａ，２ｂとを電気的に接続する。ワイヤＷの接続方法は、特に限定されるものではなく、通常用いられる方法で行えばよい。ワイヤＷの素材としては、金、銀、銅、白金、アルミニウム、またはこれらの合金等を用いることができる。
【００４６】
＜封止樹脂形成工程＞
図６（ａ）、（ｂ）に示すように、封止樹脂形成工程は、発光素子１０が収容された凹部５０内に封止樹脂２０を充填し、封止樹脂２０をパッケージ１の高さよりも高く設ける工程である。すなわち、まず、発光素子１０を被覆するように封止樹脂２０となる部材をパッケージ１の凹部５０内に充填する。ここで、部材は、効率性の観点からパッケージ１や集合体８０の全面に塗布するため、凹部５０内の他、パッケージ１の側部材３０ｂの上面や、凹部５０におけるパッケージ１の高さよりも高い部位にまで存在することとなる。その後、加熱や光照射等によってこの部材を硬化する。このようにして、発光素子１０を被覆する透光性の封止樹脂２０を形成する。
【００４７】
＜封止樹脂切削工程＞
図６（ｃ）、（ｄ）に示すように、封止樹脂切削工程は、封止樹脂２０を切削して封止樹脂２０をパッケージ１の高さに近づけるように調整する工程である。すなわち、余分な封止樹脂２０を除去する工程である。
ここで、「封止樹脂２０をパッケージ１の高さに近づけるように調整する」とは、封止樹脂２０の上面とパッケージ１の上面との高さの差が少なくなるように、好ましくは差がなくなるように封止樹脂２０を切削することをいう。
すなわち、封止樹脂２０の上面とパッケージ１の上面とを同じ高さとすること、または、同じよりも封止樹脂２０の上面がやや高いかやや低い高さとすることをいう。
【００４８】
封止樹脂切削工程では、封止樹脂２０の切削によりパッケージ１の上面からはみ出た封止樹脂２０を除去し、封止樹脂２０の上面とパッケージ１の上面が同じ高さ、あるいは、ほぼ同じ高さになるようにする。なお、封止樹脂２０の切削の都合上、封止樹脂２０の上面がパッケージ１の上面よりもやや高いか、やや低く（例えば、パッケージ１の上面からの高さの差が０μｍを超え１０μｍ以下程度など）なってもよいが、封止樹脂２０の上面とパッケージ１の上面が同じ高さになるように切削することが好ましい。切削の方法は特に限定されるものではなく、例えば、刃物７０によりパッケージ１上面の余分な封止樹脂２０を削り取ればよい。
【００４９】
刃物７０により封止樹脂２０を切削することで、残存する封止樹脂２０の表面の突起部（バリ）を効率的に除去することができる。また、封止樹脂２０における残留応力による歪みを緩和することができる。
また、封止樹脂２０の表面に、封止樹脂２０を切削する際の刃物７０の進行方向に延びるように、幅および深さが１μｍ程度の複数の溝が形成される。封止樹脂２０が溝を有することで、表面積が増大し、放熱性が向上する。
【００５０】
ここで、集合体８０を用意した場合、封止樹脂２０の切削においては、集合体８０上の封止樹脂２０の全部を一括して切削することが好ましい。集合体８０上の封止樹脂２０の全部を一括して切削することで、封止樹脂２０の除去や、封止樹脂２０の表面のバリの除去をより効率的に行うことができる。
「一括して切削する」とは、集合体８０を構成する複数のパッケージ１に対して、１つずつ、あるいは複数ずつ個別に切削して高さを調整するのではなく、一連の動作で集合体８０上の封止樹脂２０を切削することをいう。すなわち、例えば、一旦切削を開始した刃物７０を途中で封止樹脂２０や集合体８０から離すことなく、集合体８０上の全ての封止樹脂２０を切削する場合である。ただし、切削における一連の動作であれば、切削途中で偶発的に刃物７０が封止樹脂２０や集合体８０から離れる場合を除外するものではない。
【００５１】
そして、この封止樹脂切削工程後における、凹部５０の周面に形成された凸部３に関して、以下の３通りの形態が挙げられる。この形態について、ここでは、代表して第２実施形態の凸部３について、図４（ａ）〜（ｆ）を参照して説明する。なお、図４（ａ）〜（ｃ）は図３（ｃ）の破線Ａの拡大図に相当するものである。また、図４（ｄ）〜（ｆ）は図３（ａ）に示す発光装置のＹ−Ｙ断面図に相当するものであり、それぞれ、図４（ａ）〜（ｃ）の形態に対応する。
【００５２】
（１）凸部のみが形成された形態
図４（ａ）、（ｄ）に示すように、封止樹脂切削工程において、凹部５０の周面に形成された凸部３を切削することなく、凸部３をそのまま残す形態である。本形態では、発光装置１００Ａが凸部３を有することで、粗面部がなくても発光装置１００Ａ同士のくっつきを防止することができる。切削の際は、刃物７０が凸部３の位置に到達したときに、刃物７０の角度や圧力を適宜調整して、凸部３が切削されないようにすればよい。
【００５３】
（２）凸部に粗面部が形成された形態
図４（ｂ）、（ｅ）に示すように、封止樹脂切削工程において、凹部５０の周面に形成された凸部３の一部を切削することで、凸部３の上面に粗面部４ａを形成する形態である。
ここで、凸部３の一部とは、凸部３の上方部分の所定領域をいい、例えば、切削前の凸部３の高さにおける、凸部３の上面から１／２〜２／３の領域とすることができる。なお、第１実施形態の場合であっても、凸部３の傾斜の各部位において、当該部位での切削前の凸部３の高さ（凸部３の底辺から垂直な上方の凸部３の高さ）における、凸部３の上面から１／２〜２／３の領域とすることができる。ただし、その領域の厚さや幅は特に規定するものではなく、凹部５０の周面に凸部３が残存し、凸部３の上面に粗面部４ａを形成できる範囲であれば切削する凸部３の領域はどの程度であってもよい。
【００５４】
次に、凸部の上面に粗面部を形成する方法について、図７（ａ）〜（ｄ）を参照して説明する。
図７（ａ）に示すように、まず、刃物７０でパッケージの凹部５０の周面の封止樹脂２０を凸部３の位置まで切削する。次に、図７（ｂ）に示すように、凸部３の根元が切削されないように刃物７０の角度や圧力を変え、刃物７０が凸部３の上面に位置するように調整する。そして図７（ｃ）、（ｄ）に示すように、刃物７０の角度や圧力を調整して凸部３の一部を切削しながら、刃物７０をパッケージ１の凹部５０方向に移動させる。この際、凸部３は弾性があるため、やや窪みながら凸部３の一部が切削される。凸部３の一部を切削した後は、再び刃物７０の角度や圧力を変え、パッケージ１の凹部５０の周面の封止樹脂２０を切削し、その後、凹部５０上面の封止樹脂２０を切削する。また、この凹部５０の周面に対向する側の凹部５０の周面の凸部３も同様にしてその一部を切削する。
そして、凸部３の一部を削る際の速度、刃物７０の圧力や角度等を適宜調整することで、凸部３の切削量や、粗面部４ａの表面性状（例えば表面粗さＲａ）を制御する。
なお、条件にもよるが、パッケージ１の材質に、例えばエポキシ樹脂のような硬くてもろいものを用いることで、凸部３の一部を切削しやすくなる。
【００５５】
なお、第１実施形態の発光装置１００の凸部３においても、粗面部４ａの形成方法は、基本的には前記と同様である。第１実施形態の場合は、パッケージ１の凹部５０の周面の封止樹脂２０を切削しながら、凸部３の傾斜に沿って、凸部３の一部を切削していけばよい。
【００５６】
（３）粗面部のみが形成された形態
図４（ｃ）、（ｆ）に示すように、封止樹脂切削工程において、凹部５０の周面に形成された凸部３の全部を切削することで、凸部３が形成された部位に粗面部４ｂを形成する形態である。すなわち、凸部３が形成された部位に粗面部４ｂを形成するように凸部３を切削して粗面部４ｂを形成する。
この形態では、凸部３が残存しないように、刃物７０の角度や圧力を変え、凸部３の根元を切削することで、凸部３の全てを除去する。これにより、凹部５０の周面における、凸部３が形成されていた部位に粗面部４ｂが形成される。
ここで、凸部３が形成された部位の粗面部４ｂとは、封止樹脂２０の切削の際に凸部３の全部が削られることで生じた所定の表面性状（例えば表面粗さＲａ）を有する凹部５０の周面の粗面な部位である。
そして、凸部３を削る際の速度、刃物７０の圧力や角度等を適宜調整することで、粗面部４ａの表面性状（例えば表面粗さＲａ）を制御する。
本形態では、発光装置１００Ａは、凸部３の全てが除去されても、切削前に凸部３が形成された部位に粗面部４ｂを有するため、発光装置同士のくっつきを防止することができる。
【００５７】
＜個片化工程＞
個片化工程は、パッケージ用意工程で複数のパッケージ１が連続した集合体８０を用意した場合に、封止樹脂２０を切削した集合体８０を個片化する工程である。
集合体８０の個片化は、集合体８０を分割するラインに沿って、ブレードで切断するダイシング方法、または、集合体８０を分割するラインに沿って、集合体８０を割るスクライブ方法等、従来公知の方法により行なうことができる。
そして、この集合体８０の個片化により、複数の発光装置１００（１００Ａ）が得られる。
【００５８】
以上、本発明の実施形態について説明したが、本発明は前記実施形態に限定されるものではなく、本発明の趣旨を逸脱しない範囲で変更することができる。
すなわち、前記に示す発光装置の製造方法や発光装置の形態は、本発明の技術思想を具体化するための発光装置の製造方法や発光装置を例示するものであって、本発明は、前記の製造方法や形態に限定するものではない。また、特許請求の範囲に示される部材等を、実施の形態の部材に特定するものではない。特に、実施の形態に記載されている構成部品の寸法、材質、形状、その相対的配置等は、特定的な記載がない限りは、本発明の範囲をそれのみに限定する趣旨ではなく、単なる説明例にすぎない。
【００５９】
例えば、導電部材２ａ，２ｂの表面には、導電部材２ａ，２ｂにおける光反射の効率を向上させる金属部材を設けてもよい。金属部材の材料としては、特に限定されないが、例えば、銀のみ、あるいは、銀と、銅、金、ロジウム等の高反射率の金属との合金、または、これら、銀や各合金を用いた多層膜等を用いることができる。好ましくは、熱伝導率等に優れた金を単体で用いることである。また、金属部材の膜厚は、０．００５〜２０μｍ程度の金属箔であることが好ましく、多層膜とする場合は、層全体の厚さをこの範囲内とするのが好ましい。また、金属部材の形成方法は、めっき法、スパッタ法や蒸着法等を用いることができる。
【００６０】
導電部材２ａ，２ｂの表面に金属部材を設ける場合は、前記した発光装置の製造方法において、パッケージ用意工程中、もしくは工程後であり、かつダイボンディング工程の前に、金属部材形成工程を行う。
金属部材を設ける方法としては、めっき法、スパッタ法、蒸着法、薄膜を接合させる方法等を用いることができる。めっき法を用いる場合、電解めっき、無電解めっきのいずれの方法でも用いることができる。例えば、導電部材２ａ，２ｂ上の該当部位を電気的に接続した上で、電解めっき法を用いるのが最も簡便である。また、スパッタ法、蒸着法を用いる場合は、フォトリソグラフィ法により、導電部材２ａ，２ｂ上のみに設けることができる。なお、パターン形成されていない導電部材２ａ，２ｂ上に金属部材を設けた後、導電部材２ａ，２ｂと金属部材を所定の形状にパターニングしてもよい。
【００６１】
その他、前記した実施形態では、発光素子はフェースアップ素子（ＦＵ素子）としたが、フェースダウン素子（ＦＤ素子）を用いた形態であってもよい。
ＦＤ素子を用いる場合には、発光装置１００（１００Ａ）は、パッケージ１の底面と発光素子１０との間に図示しないアンダーフィルを備えていてもよい。アンダーフィルを設けることにより、光取り出し効率等の光学特性や、発光装置１００（１００Ａ）の放熱性が向上し、発光素子１０とパッケージ１との熱膨張や機械的な応力を緩和させることができる。そのため、発光装置１００（１００Ａ）の信頼性を向上させることができる。アンダーフィルの材料は、例えば、シリコーン樹脂、エポキシ樹脂等の熱硬化性樹脂である。
【００６２】
また、ツェナーダイオード等の保護素子等を設けてもよい。さらに、前記した実施形態では、１つの発光素子１０を備える構成としたが、発光素子は、２つ以上設けられていてもよい。また、発光装置に搭載される発光素子が２以上の複数個である場合には、各発光素子の発光波長は異なるものであってもよい。例えば、ＲＧＢの３原色を発光する３つの発光素子を搭載してもよい。
【００６３】
発光装置の製造方法においては、本発明を行うにあたり、前記各工程の間あるいは前後に、前記した工程以外の工程を含めてもよい。例えば、パッケージ１を洗浄するパッケージ洗浄工程や、ごみ等の不要物を除去する不要物除去工程や、発光素子１０の実装位置を調整する実装位置調整工程等、他の工程を含めてもよい。
【符号の説明】
【００６４】
１    パッケージ
２ａ，２ｂ  導電部材
３  凸部
４ａ，４ｂ  粗面部
５    リードフレーム
６    樹脂
１０  発光素子
２０  封止樹脂
３０ａ  基材
３０ｂ  側部材
４０    成形金型
４０ａ  上金型
４０ｂ  下金型
５０  凹部
６０  離型シート
７０  刃物
８０  集合体
１００，１００Ａ  発光装置
Ｓ１，Ｓ２，Ｓ３  間隙
Ｗ  ワイヤ
【図１】
2014187319.tif 000003
【図２】
2014187319.tif 000004
【図３】
2014187319.tif 000005
【図４】
2014187319.tif 000006
【図５】
2014187319.tif 000007
【図６】
2014187319.tif 000008
【図７】
2014187319.tif 000009